(57)【要約】【課題】通気性が良く熱伝導性に優れ、マイナスイオンを発生させ、血行を促進すると共に指圧効果に優れ、特に加熱して使用することにより、蓄熱効果を保持すると共に遠赤外線を発生させて健康を増進させる健康マットを提供するものである。【解決手段】直方体状のヒスイビーズ２と球状のヒスイビーズ３、球状のトルマリンビーズ４と球状の磁気ビーズ５に糸通し孔９を開孔し、経糸に相当する軟質プラスチック紐状体６に所定の間隔で糸通し孔９を開孔し、この紐状体６を所定の間隔で並設し、この間に前記ヒスイビーズ２、３とトルマリンビーズ４および磁気ビーズ５を配置して、前記紐状体６とビーズの糸通し孔９に横糸８を貫通させて支持し、可撓性のあるマット状に形成したものである。【選択図】  図１
0003104649.tif 000002
【実用新案登録請求の範囲】
【請求項１】
鉱石ビーズと磁気ビーズに糸通し孔を開孔し、経糸に相当する軟質プラスチック紐状体に所定の間隔で糸通し孔を開孔し、この紐状体を所定の間隔で並設し、この間に前記鉱石ビーズと磁気ビーズを配置して、前記紐状体とビーズの糸通し孔に横糸を貫通させて支持し、可撓性のあるマット状に形成したことを特徴とする健康マット。
【請求項２】
鉱石ビーズがトルマリンまたはヒスイで形成されていることを特徴とする請求項１記載の健康マット。
【考案の詳細な説明】
【技術分野】
【０００１】
本考案は、鉱石ビーズと磁気ビーズで形成した健康マットに関するものである。
【背景技術】
【０００２】
従来、布製のマット以外のものとしては、所定の長さに切断した竹チップを経糸と横糸で編み込んだ竹製のマットがある。これは通気性が良く、適度の指圧効果があるが、保温性や耐久性に劣る問題がある。
【考案の開示】
【考案が解決しようとする課題】
【０００３】
本考案は上記問題を改善し、通気性が良く熱伝導性に優れ、マイナスイオンを発生させ、血行を促進すると共に指圧効果に優れ、特に加熱して使用することにより、蓄熱効果を保持すると共に遠赤外線を発生させて健康を増進させる健康マットを提供するものである。
【課題を解決するための手段】
【０００４】
本考案の請求項１記載の健康マットは、鉱石ビーズと磁気ビーズに糸通し孔を開孔し、経糸に相当する軟質プラスチック紐状体に所定の間隔で糸通し孔を開孔し、この紐状体を所定の間隔で並設し、この間に前記鉱石ビーズと磁気ビーズを配置して、前記紐状体とビーズの糸通し孔に横糸を貫通させて支持し、可撓性のあるマット状に形成したことを特徴とするものである。
【０００５】
本考案の請求項２記載の健康マットは、鉱石ビーズがトルマリンまたはヒスイで形成されていることを特徴とするものである。
【考案の効果】
【０００６】
本考案に係る請求項１記載の健康マットによれば、経糸に相当する軟質プラスチック紐状体と横糸で鉱石ビーズと磁気ビーズを編んであるので可撓性に優れ、この上に寝ても、体重の加わり方によって自由に変形し、体重を全体で受けるので寝心地が良い。また鉱石ビーズと磁気ビーズは、熱伝導性が良く、しかも隙間が形成されているので通気性もが良く、体温を放散して涼しく寝ることができる。
【０００７】
また隙間を設けて鉱石ビーズと磁気ビーズが配置されているので、指圧効果を高めることができる。また磁気ビーズは血行を促進して、筋肉の疲労やストレスを和らげる作用をなすことができる。
【０００８】
また電気敷毛布の上や、コンクリート床の内部に温熱パイプを埋設して、湯のない雰囲気中において寝た状態で入浴する温熱入浴施設の床の上に敷いて寝ると、鉱石ビーズが加熱されて、遠赤外線を発生しこれが身体の内部まで浸透して血行を促進して身体を暖めることができる。また鉱石ビーズは一旦加熱されると、蓄熱作用があるので長い時間に亘って身体を暖めることができる。また健康マット１は鉱石ビーズと磁気ビーズで形成されているので、その効果は半永久的に持続することができる。
【０００９】
また請求項２記載の健康マットによれば、トルマリンビーズはマイナスイオンを発生し、リラックスして精気を回復することができ、更にヒスイビーズは人間の身体と接触して、静電磁場を発生し、脳を通して人体のツボを刺激し、血行を促進すると共に神経を安定させる作用がある。
【考案を実施するための最良の形態】
【００１０】
ヒスイビーズと、トルマリンビーズおよび磁気ビーズで構成した健康マットを実現した。
【実施例１】
【００１１】
以下本考案の実施例を図１および図２を参照して詳細に説明する。図において１は健康マットを示すもので、これは直方体状のヒスイビーズ２と、球状のヒスイビーズ３と、球状のトルマリンビーズ４、および球状の磁気ビーズ５で構成されている。６は経糸に相当する軟質プラスチック紐状体、７は縁部に取付ける直方体状の軟質プラスチック片、８は横糸である。
【００１２】
直方体状のヒスイビーズ２には、その２か所に間隔をおいて横方向に糸通し孔９、９が開孔されている。また球状のヒスイビーズ３と、トルマリンビーズ４、および磁気ビーズ５にもその中心を貫通して横方向に糸通し孔９がそれぞれ開孔されている。また経糸に相当する軟質プラスチック紐状体にもその長手方向に沿って所定の間隔で横方向に糸通し孔９が開孔されている。また縁部に取付ける直方体状の軟質プラスチック片７にも、その中心に糸通し孔９が開孔されている。
【００１３】
この健康マット１は、経糸に相当する軟質プラスチック紐状体６を平行に配置しこの間に軟質プラスチック片７、直方体状のヒスイビーズ２、球状のヒスイビーズ３、球状のトルマリンビーズ４および球状の磁気ビーズ５を、糸通し孔９が横方向になるように配置して、ここに端部側から横糸８を順次通して隙間１０を設けて編み込んで固定し、長方形のマット状に形成したものである。
【００１４】
この長方形の健康マット１を使用する場合、夏には布団の上に健康マット１を敷いてこの上に寝る。健康マット１は経糸に相当する軟質プラスチック紐状体６と横糸８で編んであるので可撓性に優れ、この鉱石や磁石など硬質のビーズの上に寝ても、体重の加わり方によって自由に変形し、体重を全体で受けるので寝心地が良い。またヒスイビーズ２、３、トルマリンビーズ４が鉱石で、磁気ビーズが金属であるので熱伝導性が良く、しかも隙間１０が形成されているので、通気性が良く、体温を放散して涼しく寝ることができる。
【００１５】
また隙間１０を設けて球状のヒスイビーズ２やトルマリンビーズ４が配置されているので、この突出部分が身体に食い込んで指圧効果を高めることができる。また磁気ビーズ５は血行を促進して、筋肉の疲労やストレスを和らげる作用をなすことができる。またトルマリンビーズ４はマイナスイオンを発生し、リラックスして精気を回復することができる。更にヒスイビーズ２、３は人間の身体と接触して、静電磁場を発生し、脳を通して人体のツボを刺激し、血行を促進すると共に神経を安定させる作用がある。従ってこの健康マット１の上に寝ているだけで、疲労の回復や健康の増進を図ることができる。
【００１６】
また冬期間には布団の上に電気敷毛布を敷いて、この上に健康マット１を敷きこの上に敷布を掛けて寝ると、ヒスイビーズ２、３やトルマリンビーズ４などの鉱石ビーズが加熱されて、遠赤外線を発生しこれが身体の内部まで浸透し、血行を促進して身体を暖めることができる。また鉱石ビーズは一旦加熱されると、蓄熱作用があるので長い時間に亘って身体を暖めることができる。
【００１７】
また本発明の健康マット１を、コンクリート床の内部に温熱パイプを埋設して、湯のない雰囲気中において寝た状態で入浴する温熱入浴施設の床に敷いて用いることもできる。この場合、温度が比較的低い乾燥した雰囲気の中で横になって寝るので、長時間寝ていても息苦しくならず心臓に負担がからず、コンクリート床面から健康マット１が加熱されて、効率よく遠赤外線を発生させると共に、磁気やマイナスイオン、静電磁場を発生し、これらが複合した相乗作用により短時間で疲労を回復して健康の増進を図ることができる。
【００１８】
なお上記説明では鉱石ビーズとしてトルマリンビーズとヒスイビーズを用いた場合について示したが他の鉱石を用いても良い。また鉱石ビーズと磁気ビーズの組み合わせ配置方法は任意に選定することができる。
【図面の簡単な説明】
【００１９】
【図１】本考案の実施例による健康マットの端部を拡大して示す平面図である。
【図２】図１のIIーII線断面図である。
【符号の説明】
【００２０】
１    健康マット                                            
２    直方体状のヒスイビーズ                                
３    球状のヒスイビーズ                                    
４    球状のトルマリンビーズ                                
５    球状の磁気ビーズ                                      
６    軟質プラスチック紐状体
７    軟質プラスチック片                                    
８    横糸                                                  
９    糸通し孔                                              
１０  隙間                                                  
【図１】
0003104649.tif 000003
【図２】
0003104649.tif 000004